(57)【要約】【課題】端末を開く時に連動して起動する機能を簡単に設定することができ、ユーザにとって使い勝手が向上した携帯端末装置及び機能選択方法を提供すること。【解決手段】携帯電話機１００は、端末を閉じる時に、アプリケーション部１５０の機能を表示するサブ表示部１４０と、サブ表示部１４０により表示された実行可能な機能のうちいずれかを事前選択する入力部１２０とを備え、ＣＰＵ１１０は、サブプログラム実行により、端末を開く時に連動して、サブ表示部１４０に表示している機能を起動するＯｐｅｎ事前機能選択制御を実行する。ここで、端末を開く時に起動したい機能ついては、サブ表示部１４０に表示された機能表示の中から、入力部１２０の入力により事前選択されている。【選択図】図５
2010245850.tif 000002
【特許請求の範囲】
【請求項１】
筐体の開時に表示画面が露出する表示部を備える携帯端末装置であって、
複数の機能を実行する機能実行手段と、
筐体の閉時に、前記機能実行手段が実行可能な機能を報知する報知手段と、
筐体の閉時に、前記実行可能な機能のうちいずれかを事前選択する選択手段と、
筐体の開に連動して、前記選択手段により事前に選択した機能を、前記機能実行手段により起動させる制御手段と、
を備える携帯端末装置。
【請求項２】
前記報知手段は、筐体の閉時に、機能名を表示するサブ表示部である請求項１記載の携帯端末装置。
【請求項３】
前記報知手段は、筐体の閉時に、機能名に対応して発光するＬＥＤ表示部である請求項１記載の携帯端末装置。
【請求項４】
前記報知手段は、筐体の閉時に、機能名に対応する音又は音声アナウンスを行う報音部である請求項１記載の携帯端末装置。
【請求項５】
前記選択手段は、キー入力又は音声入力部である請求項１記載の携帯端末装置。
【請求項６】
前記選択手段は、筐体の使用状態を検出するタッチセンサ、加速度センサ又は振動センサである請求項１記載の携帯端末装置。
【請求項７】
前記機能実行手段は、筐体の縦開で使用する機能と、筐体の横開で使用する機能とを有し、
前記制御手段は、筐体の縦開では、筐体の縦開で使用する機能を優先して起動し、筐体の横開では、筐体の横開で使用する機能を優先して起動する請求項１記載の携帯端末装置。
【請求項８】
筐体の縦置又は横置を検出する筐体検出手段を備え、
前記機能実行手段は、筐体の縦開で使用する機能と、筐体の横開で使用する機能とを有し、
前記報知手段は、筐体の縦置では、筐体の縦開で使用する機能を優先して報知し、筐体の横置では、筐体の横開で使用する機能を優先して報知する請求項１記載の携帯端末装置。
【請求項９】
前記制御手段は、前記選択機能の実行履歴に基づいて、前記機能実行手段により実行させる優先順位を決定する請求項１記載の携帯端末装置。
【請求項１０】
前記報知手段は、前記選択機能の実行履歴に基づいて、選択頻度の高い機能又は直前使用した機能を優先して報知する請求項１記載の携帯端末装置。
【請求項１１】
前記制御手段は、筐体の開時に実行するメインプログラムと、筐体の閉時に実行する前記メインプログラムより低消費電力のサブプログラムとを有し、
前記制御手段は、前記サブプログラムの実行により、前記機能実行手段の起動制御を行う請求項１記載の携帯端末装置。
【請求項１２】
筐体の開時に実行するメインプログラムと、筐体の閉時に実行する前記メインプログラムより低消費電力使用のサブプログラムとを有し、
筐体の閉時に、筐体の開時において実行可能な機能を報知するステップと、
筐体の閉時に、前記実行可能な機能のうちいずれかを事前選択するステップと、
筐体の開に連動して、前記選択した機能を起動させる起動ステップと
を前記サブプログラムにより順次実行する機能選択方法。
【発明の詳細な説明】
【技術分野】
【０００１】
本発明は、携帯電話機などの携帯端末装置及び機能選択方法に関する。
【背景技術】
【０００２】
携帯電話には多彩なマルチメディア機能が搭載されている。例えば、ＴＶ、ゲーム、メーラ、カメラ、Ｗｅｂ、電卓、音楽プレーヤ、マイクレコーダなどである。これらの機能を有効に使うために、携帯電話機は縦に開いたり、横に開いたり、スライドしたり、回転したりして、形状を変えるなど、ユーザインターフェースを変えてきている。
【０００３】
また、多機能化に伴い、機能を選択する上でよく使う機能と使わない機能があり、よく使う機能はすぐに使いたいのにメニューの選択が煩わしいことがある。
【０００４】
また、携帯電話における消費電力を削減するために、無駄なメニューを減らすことも必要である。
【０００５】
携帯電話機は、見易さ・操作上の使い勝手の向上と共に、各機能を容易に選択できることが求められている。
【０００６】
特許文献１には、蓋閉状態の電話機モードから蓋開状態の情報端末モードに移行する時、蓋を開いた際に表示される画面を履歴情報・通話ログ情報・ユーザの設定のいずれかにより移行画面を決定する携帯情報端末装置が記載されている。
【０００７】
図１は、従来の携帯電話機の概略構成を示す模式図である。例として、縦方向と横方向の２方向に開閉可能な携帯電話機を示している。
【０００８】
図１（ａ）（ｂ）に示すように、携帯電話機１０は、上筐体１１と下筐体１２とが第１ヒンジ部（図示略）によって回動自在に連結され、縦方向に開いた状態（図１（ａ）参照）と閉じた状態（図１（ｂ）参照）とを取り得る。さらに、図１（ｃ）に示すように、携帯電話機１０は、上筐体１１と下筐体１２とが第２ヒンジ部（図示略）によって回動自在に連結され、横方向に開いた状態を取り得る。
【０００９】
上筐体１１は、端末を開く時に主画面情報を表示する表示部１３と、端末を閉じる時にサブ画面情報を表示するサブ表示部１４とを有する。表示部１３は、大画面ＬＣＤから構成され、サブ表示部１４は表示部１３より小さい小画面ＬＣＤから構成される。また、下筐体１２は、テンキー，十字キー，機能キーなどの操作部１５を有する。
【００１０】
図１（ａ）に示すように、ユーザは、端末を縦方向に開く時には、操作部１５を操作して表示部１３に表示されたメインメニューから所望の機能を選択する。例えば、ユーザは、操作部１５によりＴＶ機能を選択し実行する。これにより、ＴＶ視聴プログラムが起動し、ユーザはＴＶを視聴することができる。
【００１１】
また、ユーザは、上筐体１１が開く時に連動して起動する機能を、予め携帯電話機１０に設定しておくこともできる。この場合、上筐体１１を一度開いた状態で、メニュー等から、端末閉⇒開時に連動して起動する機能を選択しておく必要がある。また機能としては１つしか選択できない。例えば、端末を開く時に連動して起動する機能に、ＴＶ機能を設定しておくとする。閉じた状態（図１（ｂ）参照）にある携帯電話機１０の上筐体１１を、図１（ｃ）に示すように開くと、ＴＶ視聴プログラムが起動し、ユーザはＴＶを視聴することができる。
【００１２】
図２は、上記携帯電話機１０の待ち受けから選択機能起動までの動作を示すフローチャートである。図中、Ｓはフローの各ステップを示す。
【００１３】
図２に示すように、ステップＳ１で携帯電話機１０は、上筐体１１が閉じられ待ち受け状態にある。
【００１４】
ステップＳ２では、ユーザは端末を開く（携帯電話機１０の上筐体１１を開）する。
【００１５】
これにより、携帯電話機１０のメインプログラムが起動するともに、大画面ＬＣＤの表示部１３が表示される。図２に示すステップＳ３乃至Ｓ８において、メインプログラム実行と大画面ＬＣＤ表示が行われる。メインプログラムは、携帯電話機１０の主制御部（図示略）により実行される。主制御部は、メインプログラムを実行するにあたり、携帯電話機１０のリソースを最大限使用する。具体的には、主制御部は、高クロックでメインプログラムを実行し、最大データ量を使用する。また、表示部１３は、大画面ＬＣＤのバックライトを高輝度で発光させる。なお、表示部１３が、有機ＥＬ（Organic Electro-Luminescence）ディスプレイで構成される場合も、上記バックライトの場合と同様に、メインプログラム実行中には高輝度で発光させる。
【００１６】
ステップＳ３では、ユーザは、メニュー画面を選択する。
【００１７】
ステップＳ４では、主制御部は、表示部１３にメインメニューを表示する。
【００１８】
ステップＳ５では、ユーザは、表示されたメインメニューの中から所望のメニューを選択する。
【００１９】
ステップＳ６では、主制御部は、表示部１３にサブメニューを表示する。
【００２０】
ステップＳ７では、ユーザは、サブメニューに表示された機能の中から所望の機能を選択し、ステップＳ８で決定する。
【００２１】
上記ステップＳ３乃至Ｓ８は、メインプログラム実行と大画面ＬＣＤ表示下において行われる。メインプログラム実行と大画面表示は、いずれも多くの電流を消費する。
【００２２】
ステップＳ９では、主制御部は、選択された機能部を起動する。機能部は、限定された機能を実行するので、各機能を使用するために必要な電力だけを消費する。
【００２３】
図２に示すように、所望の機能に辿りつくまでにユーザは何回も操作を行わなければならない。そこで、ユーザは、端末を開く時に連動して起動する機能を、予め携帯電話機１０に設定しておくこともできる。
【００２４】
図３は、上記携帯電話機１０の待ち受けから選択機能起動までの動作に、ショートカットキーを割り当てる動作を示すフローチャートである。図２と同一ステップには同一符号を付している。
【００２５】
ショートカットキーは、端末を開く時に連動して起動する機能を予め設定しておくものである。
【００２６】
ショートカットキーを設定しておくと（ステップＳ１０参照）、端末を開く時に連動して、ショートカットキーに割り当てられた機能が起動する。ショートカットキーに割り当てられた機能が起動する。
【先行技術文献】
【特許文献】
【００２７】
【特許文献１】特開平１０−４２０２２号公報
【発明の概要】
【発明が解決しようとする課題】
【００２８】
しかしながら、このような従来の携帯端末装置にあっては、携帯電話機を開いてからメニューを選択・決定する構成であったため、選択に手間取り操作性の向上が図れないという問題があった。
【００２９】
本発明は、かかる点に鑑みてなされたものであり、端末を開く時に連動して起動する機能を簡単に設定することができ、ユーザにとって使い勝手が向上した携帯端末装置及び機能選択方法を提供することを目的とする。
【課題を解決するための手段】
【００３０】
本発明の携帯端末装置は、筐体の開時に表示画面が露出する表示部を備える携帯端末装置であって、複数の機能を実行する機能実行手段と、筐体の閉時に、前記機能実行手段が実行可能な機能を報知する報知手段と、筐体の閉時に、前記実行可能な機能のうちいずれかを事前選択する選択手段と、筐体の開に連動して、前記選択手段により事前に選択した機能を、前記機能実行手段により起動させる制御手段と、を備える構成を採る。
【００３１】
本発明の機能選択方法は、筐体の開時に実行するメインプログラムと、筐体の閉時に実行する前記メインプログラムより低消費電力使用のサブプログラムとを有し、筐体の閉時に、筐体の開時において実行可能な機能を報知するステップと、筐体の閉時に、前記実行可能な機能のうちいずれかを事前選択するステップと、筐体の開に連動して、前記選択した機能を起動させる起動ステップとを前記サブプログラムにより順次実行する。
【発明の効果】
【００３２】
本発明によれば、端末を開く時に連動して起動する機能を簡単に設定することができ、使用感を向上させることができる。
【図面の簡単な説明】
【００３３】
【図１】従来の携帯電話機の概略構成を示す模式図
【図２】従来の携帯電話機の待ち受けから選択機能起動までの動作を示すフロー図
【図３】従来の携帯電話機の待ち受けから選択機能起動までの動作に、ショートカットキーを割り当てる動作を示すフロー図
【図４】本発明の実施の形態１に係る携帯端末装置の概略構成を示す模式図
【図５】上記実施の形態１に係る携帯端末装置の構成を示すブロック図
【図６】上記実施の形態１に係る携帯端末装置のＯｐｅｎ事前機能選択制御動作を示すフロー図
【図７】上記実施の形態１に係る携帯端末装置のサブＬＣＤ表示部への表示による機能選択を説明する図
【図８】上記実施の形態１に係る携帯端末装置のサブＬＣＤ表示部への表示による機能選択を説明する図
【図９】上記実施の形態１に係る携帯端末装置のＬＥＤ表示部の光イルミネーション表示による機能選択を説明する図
【図１０】上記実施の形態１に係る携帯端末装置の入力部による機能選択を表にして示す図
【図１１】本発明の実施の形態２に係る携帯端末装置のＯｐｅｎ事前機能選択制御動作を示すフロー図
【図１２】本発明の実施の形態３に係る携帯端末装置のＯｐｅｎ事前機能選択を説明する図
【図１３】上記実施の形態３に係る携帯端末装置のＯｐｅｎ事前機能選択制御動作を示すフロー図
【発明を実施するための形態】
【００３４】
以下、本発明の実施の形態について図面を参照して詳細に説明する。
【００３５】
（実施の形態１）
図４は、本発明の実施の形態１に係る携帯端末装置の概略構成を示す模式図である。本実施の形態は、携帯端末装置として、縦方向と横方向の２方向に開閉可能なタイプの携帯電話機／ＰＨＳ（Personal Handy-Phone System）に適用した例である。また、携帯電話機のほか、ＰＤＡ（Personal Digital Assistants：携帯情報端末）、携帯ゲーム機などの携帯機器に適用できる。
【００３６】
図４（ａ）（ｂ）に示すように、携帯電話機１００は、上筐体１０１と下筐体１０２とが第１ヒンジ部（図示略）によって回動自在に連結され、縦方向に開いた状態と閉じた状態とを取り得る。また、図４（ｂ）に示すように、携帯電話機１００は、上筐体１０１と下筐体１０２とが第２ヒンジ部（図示略）によって回動自在に連結され、横方向に開いた状態を取り得る。
【００３７】
上筐体１０１は、端末を開く時に主画面情報を表示する表示部１０３と、端末を閉じる時にサブ画面情報を表示するサブ表示部１０４とを有する。表示部１０３は、大画面ＬＣＤから構成され、サブ表示部１０４は表示部１０３より小さい小画面ＬＣＤから構成される。また、下筐体１０２は、テンキー，十字キー，機能キーなどの操作部１０５を有する。
【００３８】
携帯電話機１００は、図４（ａ）に示す端末を閉じる時において、選択機能を報知する報知手段１０６と、報知手段１０６により報知された選択機能を選択する選択手段１０７とを備える。
【００３９】
報知手段１０６は、携帯電話機１００が実行可能な選択機能が分かればよく、典型的にはサブディスプレイによる表示、又はＬＥＤ（Light Emitting Diode）などの光イルミネーションによる表示である。また、音声合成ＬＳＩなどによる音声アナウンスであってもよい。図４（ａ）では、報知手段１０６の一例として、ＬＣＤからなるサブ表示部１０４による表示を示している。
【００４０】
選択手段１０７は、報知手段１０６により報知された選択機能から、所望の機能を選択・入力する。選択手段１０７は、選択機能の指定ができるものであればどのような手段でもよい。選択手段１０７は、例えば、キー、タッチセンサ、音声認識、モーションセンサである。図４（ａ）では、選択手段１０７の一例として、携帯電話機１００本体に設置されたキーによる選択を示している。
【００４１】
次に、携帯電話機１００の選択機能の動作について説明する。
【００４２】
携帯電話機１００は、端末を閉じる状態において認識可能なサブ表示部１０４に、通常メニュー、カメラ、ゲーム、ＴＶ、メール等の機能名を表示する。
【００４３】
ユーザは、携帯電話機１００本体に設置された選択手段１０７を使用して、サブ表示部１０４に表示された機能名の中から、事前に端末を開く時に連動して起動する機能を選択する。
【００４４】
この状態で、携帯電話機１００の上筐体１０１を開くと、選択手段１０７により選択されたサブ表示部１０４の表示機能が、端末を開く時に起動する。
【００４５】
図４（ａ）では、サブ表示部１０４に表示された機能名の中から、選択手段１０７によりＴＶが選択されている例を示す。図４（ｂ）に示すように、この状態の携帯電話機１００の上筐体１０１を開くと、ＴＶ機能が起動しＴＶ視聴が可能になる。
【００４６】
このように、サブ表示部１０４に表示されている機能が、端末を開く時に連動して直ちに実行される。サブ表示部１０４に表示されている機能は、選択手段１０７により事前に、簡単に設定可能である。すなわち、選択手段１０７により事前に端末を開く時に連動して起動する機能を選択しておけば、サブ表示部１０４に表示させている機能が端末を開く時に起動する。
【００４７】
図５は、携帯電話機１００の構成を示すブロック図である。
【００４８】
図５に示すように、携帯電話機１００は、ＣＰＵ１１０、入力部１２０、メインＬＣＤ表示部１３０、サブ表示部１４０、及びアプリケーション部１５０を備えて構成される。
【００４９】
ＣＰＵ１１０は、携帯電話機１００全体の制御を行うとともに、Ｏｐｅｎ事前機能選択制御を行う。Ｏｐｅｎ事前機能選択制御については、図６により後述する。
【００５０】
入力部１２０は、キー１２１、加速度センサ１２２、タッチセンサ１２３、マイク１２４、及びダイアル１２５を有する。本実施の形態では、入力部１２０は、サブ表示部１４０により表示された選択機能を選択する選択手段を構成する。
【００５１】
メインＬＣＤ表示部１３０は、携帯電話機１００の主表示装置であり、端末を開く時に主画面情報を表示する。
【００５２】
サブ表示部１４０は、携帯電話機１００の背面に設置されたサブＬＣＤ表示部１４１、及びＬＥＤ表示部１４２からなる。本実施の形態では、サブＬＣＤ表示部１４１又はＬＥＤ表示部１４２は、携帯電話機１００を閉じる時において、選択機能を報知する報知手段を構成する。
【００５３】
メインＬＣＤ表示部１３０又はサブＬＣＤ表示部１４１は、ＬＣＤディスプレイ等からなる表示装置であるが、ＥＬディスプレイなどの自発光ディスプレイであってもよい。
【００５４】
アプリケーション部１５０は、カメラ１５１、ＴＶ１５２、メーラ１５３、音楽プレーヤ１５４、及びゲーム１５５の各機能からなり、ＣＰＵ１１０からの指示に基づき、各機能を実行する。アプリケーション部１５０は、ＣＰＵ１１０によるアプリケーションソフト実行により実現される。また、アプリケーション部１５０は、図示しないＤＳＰ（Digital Signal Processor）などのハードウェアにより実行される。なお、アプリケーション部１５０は、ゲームやブラウザなどのアプリケーションソフトのみならず、携帯電話機１００の携帯機器制御ソフト（電源ＯＮ／ＯＦＦ、表示装置ＯＮ／ＯＦＦ、横画面／縦画面使用など）を含む。
【００５５】
以下、上述のように構成された携帯電話機１００の動作について説明する。
【００５６】
図６は、上記携帯電話機１００のＯｐｅｎ事前機能選択制御動作を示すフローチャートである。
【００５７】
ステップＳ１１では、携帯電話機１００は、上筐体１０１が閉じられ待ち受け状態にある。携帯電話機１００が待ち受け状態にある時には、ＣＰＵ１１０は、省電力化が図られたサブプログラムを低クロックで実行する。サブプログラムは、携帯電話機１００の待ち受け時間を伸ばすために、大幅な省電力化が図られている。サブプログラムは、携帯電話機１００の待ち受けに必要な最小限の機能に絞ったプログラムである。一般には、待ち受けのチェックプログラム、キー入力及び開閉センサなどの入力チェックプログラムがある。ＣＰＵ１１０は、このサブプログラムを低クロックで実行する。
【００５８】
ステップＳ１２では、ＣＰＵ１１０は、サブプログラム実行により、入力部１２０からの入力をチェックする。ＣＰＵ１１０は、携帯電話機１００を閉じる時には低消費電力のサブプログラムを低クロックで実行しており、例えばキー１２１操作により、Ｏｐｅｎ事前機能選択開始指示があることをチェックする。
【００５９】
ステップＳ１３では、ＣＰＵ１１０は、サブプログラム実行により、サブ表示部１４０に、携帯電話機１００が実行可能な選択機能をメニュー表示する。本実施の形態では、ＣＰＵ１１０は、サブプログラム実行により、サブＬＣＤ表示部１４１に、通常メニュー、カメラ、ゲーム、ＴＶ、メール等の機能名のメニューを表示する。なお、メニュー表示に代えて、あるいは併用してＬＥＤ表示部１４２による光イルミネーション表示、音声合成ＬＳＩなどによる音声アナウンスであってもよい。
【００６０】
ステップＳ１４では、ユーザは、サブＬＣＤ表示部１４１に表示されたメニュー表示の中から端末を開く時に起動したい機能を、入力部１２０の入力により事前選択する。ＣＰＵ１１０は、サブプログラム実行により、入力部１２０の入力を受け付け、サブＬＣＤ表示部１４１に機能選択結果などを表示する。
【００６１】
上記ステップＳ１１乃至Ｓ１４の処理（図６破線囲み参照）は、ＣＰＵ１１０が、サブプログラムを低クロックで実行する。サブプログラムは、メインプログラム実行に比べ格段に低消費電力である。また、サブＬＣＤ表示部１４１は、メインＬＣＤ表示部１３０に比べてバックライトが小さいため低消費電力である。
【００６２】
ステップＳ１５では、ユーザは端末を開く（携帯電話機１００の上筐体１０１を開く）。
【００６３】
ステップＳ１６では、ＣＰＵ１１０は、選択された機能部を起動する。機能部は、限定された機能を実行するので、各機能を使用するために必要な電力だけを消費する。
【００６４】
これにより、携帯電話機１００のメインプログラムが起動するともに、大画面ＬＣＤの表示部１３０が表示される。メインプログラムは、ＣＰＵ１１０により実行される。ＣＰＵ１１０は、メインプログラムを実行するにあたり、携帯電話機１００のリソースを最大限使用する。具体的には、ＣＰＵ１１０は、高クロックでメインプログラムを実行し、最大データ量を使用する。また、メインＬＣＤ表示部１３０は、大画面ＬＣＤのバックライトを高輝度で発光させる。
【００６５】
図７及び図８は、サブＬＣＤ表示部１４１への表示による機能選択を説明する図である。
【００６６】
図７及び図８（ａ）に示すように、サブＬＣＤ表示部１４１に表示される機能名は、入力部１２０の入力により順番に表示される。前記図６のステップＳ１３のメニュー表示に対応する。サブＬＣＤ表示部１４１への機能名の順番表示では、機能名を自動的に巡回して表示する態様でもよい。また、サブＬＣＤ表示部１４１に複数の機能名を同時に表示し、アクティブ状態のカーソルなどが移動する態様でもよい。
【００６７】
また、図８（ａ）に示すように、選択した機能名に対して、更に一段深い階層への選択も可能である。例えば、図８（ａ）において機能名「カメラ」を選択後、所定のキー操作により、一段深い階層に移行し、この階層で「カメラ」関連の機能名を順番に表示させる。図８の機能選択方法は、機能の選択肢が多い場合に適しており、機能選択により深い階層を選択させることも可能である。
【００６８】
図９は、ＬＥＤ表示部１４２の光イルミネーション表示による機能選択を説明する図である。
【００６９】
図９（ａ）（ｂ）に示すように、ＬＥＤ表示部１４２の光イルミネーション表示により機能を報知することも可能である。前記図６のステップＳ１３のメニュー表示に対応する。
【００７０】
図９（ａ）に示すように、ＬＥＤ表示部１４２の点灯回数、又は光らせ方に機能を対応させておくようにする。例えば、ＬＥＤ表示部１４２が１回点灯した場合はメール、２回点灯はカメラ、３回点灯はＴＶなどである。
【００７１】
また、図９（ｂ）に示すように、ＬＥＤ表示部１４２の色の違いを機能毎に対応させておくようにする。例えば、ＬＥＤ表示部１４２が緑発光の場合はメール、青発光はカメラ、赤発光はＴＶなどである。
【００７２】
図１０は、入力部１２０による機能選択を表にして示す図である。
【００７３】
入力部１２０は、キー１２１、加速度センサ１２２、タッチセンサ１２３、マイク１２４、及びダイアル１２５を有する。これらの入力に対して、図１０に示す選択方法により機能選択を行う。前記図６のステップＳ１４の機能選択に対応する。例えば、キー１２１入力の場合は、カーソルキーなどで選択し、１つのボタンでトグル選択する。また、加速度センサ１２２入力の場合は、携帯電話機１００を左右、上下などに振る方向で選択する。
【００７４】
以上詳細に説明したように、本実施の形態によれば、携帯電話機１００は、端末を閉じる時に、アプリケーション部１５０の機能を表示するサブ表示部１４０と、サブ表示部１４０により表示された実行可能な機能のうちいずれかを事前選択する入力部１２０とを備え、ＣＰＵ１１０は、サブプログラム実行により、端末を開く時に連動して、サブ表示部１４０に表示している機能を起動するＯｐｅｎ事前機能選択制御を実行する。ここで、端末を開く時に起動したい機能ついては、サブ表示部１４０に表示された機能表示の中から、入力部１２０の入力により事前選択されているものとする。
【００７５】
本Ｏｐｅｎ事前機能選択は、決定キーを必要とせず、サブ表示部１４０に表示している機能が端末を開く時に起動する特徴がある。
【００７６】
これにより、ユーザが端末を閉じる時に端末の開きに連動して起動する機能を事前に選択することができる。ユーザは様々な機能を使用する上で、メインメニューから機能を選択する手間を省き、ユーザの使用感を高めることができる。また、省電力化を図ることができる。具体的には、以下の効果を得ることができる。
【００７７】
（１）ユーザが幾つかの機能を閉じた状態で選択でき、開くと機能が展開されることで、開いてからのメニュー選択に手間取らず、閉じた状態から開いた状態で起動する機能が１つしか選択できないことを改善することができる。使い勝手を向上させることができる。
【００７８】
（２）本Ｏｐｅｎ事前機能選択は、サブプログラム実行により、端末を閉じる時の状態で事前に機能を選択している。このため、メインメニュー、メイン表示デバイスを起動させることなく、所望の機能を起動することができる。すなわち、従来例では、前記図２に示すようにメインＬＣＤでのメニュー表示画面で機能を選択する場合、メインデバイスやメインプログラムでの起動となり、使用したい機能にたどりつくまでに、無駄な電流を消費していた。これに対して、本実施の形態では、図６の破線に示すようにサブプログラム実行により、端末を閉じる時に事前に機能選択を済ませている。機能選択のためのプログラムやメインＬＣＤなどのデバイスを起動させる必要がないため、消費電流を減らす効果がある。
【００７９】
（実施の形態２）
実施の形態２は、優先順位に従って機能選択を行う例である。
【００８０】
図１１は、本発明の実施の形態２に係る携帯端末装置のＯｐｅｎ事前機能選択制御動作を示すフローチャートである。図６と同一ステップには同一符号を付している。
【００８１】
ハード的構成は図４及び図５の携帯電話機１００と同様である。本実施の形態では、ＣＰＵ１１０は、さらに、使用頻度又はユーザ設定により機能の優先順位を設定する機能を有する。また、ＣＰＵ１１０は、機能の優先順位を設定する設定機能と、設定した優先順位に従って該当する機能を起動するＯｐｅｎ事前機能選択制御を行う。
【００８２】
ステップＳ２１でＣＰＵ１１０は、端末の開時連動で選択した機能、又はユーザ設定された機能は、よく使う機能として内部メモリ（図示せず）等に記憶している。優先順位モードが設定されている場合、ＣＰＵ１１０は、ステップＳ１２に移行することなく、サブプログラム実行により、ステップＳ１５に移行する。この場合、ＣＰＵ１１０は、サブプログラム実行により、優先順位の最も高い機能を選択して、ステップＳ１５に移行する。例えば、優先順位の最も高い機能がＴＶである場合、ＴＶ機能が自動的に選択される。
【００８３】
一方、優先順位モードが設定されていない場合、ＣＰＵ１１０は、サブプログラム実行により、ステップＳ１２で入力を受け付ける。
【００８４】
ステップＳ１３では、ＣＰＵ１１０は、サブプログラム実行により、サブ表示部１４０に、携帯電話機１００が実行可能な選択機能をメニュー表示する。ここで、ＣＰＵ１１０は、優先順位モードが設定されていない場合であっても、優先順位に従った順位でメニュー表示を行うことが好ましい。例えば、優先順位の最も高い機能がＴＶである場合、ＴＶ機能がメニュー表示の最も選択しやすい場所に表示される。
【００８５】
このように、本実施の形態では、選択時に良く使う機能を優先的に出現させることで使用感を向上させることができる。具体的には、端末の開時連動で選択した機能はよく使う機能として記憶しておく。また、ユーザが優先順位を定めることができるようにする。優先順位の高い機能から選択できるようにすることで、機能選択の手間をより減らすことができ、使用感をより一層向上させることができる。
【００８６】
本実施の形態にあっても、実施の形態１の場合と同様に、端末（携帯電話機１００）をそのまま開けば、その時点で最もよく使う機能、又は直前に使用した機能などが起動される。
【００８７】
（実施の形態３）
実施の形態３は、縦と横に開く端末において機能選択を行う例である。
【００８８】
図１２は、本発明の実施の形態３に係る携帯端末装置のＯｐｅｎ事前機能選択を説明する図である。
【００８９】
ハード的構成は図４及び図５の携帯電話機１００と同様である。
【００９０】
本実施の形態では、加速度センサ１２２（図５）、モーションセンサ（図示略）、振動センサ（図示略）などによって端末の向きを検出する。ＣＰＵ１１０は、端末の向きに応じた機能を選択する。この場合、機能は重複してもよい。但し端末の向きに応じて機能選択の優先度を変えることが好ましい。
【００９１】
図１２（ａ）に示すように、携帯電話機１００を縦持ちする場合、メインメニュー、メーラ、電話帳などを利用することが多い。また、図１２（ｂ）に示すように、携帯電話機１００を横持ちする場合、ＴＶ、ゲーム、カメラなどを利用することが多い。
【００９２】
縦方向と横方向の２方向に開閉可能なタイプの携帯電話機１００は、縦に端末を開く時は電話機能やメールなど縦に端末を開く時に使いやすい機能を優先して事前に選択し、横に端末を開く時はＴＶやゲームなどのアプリケーション機能を優先して事前に選択する構成とする。
【００９３】
図１３は、本発明の実施の形態３に係る携帯端末装置のＯｐｅｎ事前機能選択制御動作を示すフローチャートである。図６と同一ステップには同一符号を付している。
【００９４】
ステップＳ３１でＣＰＵ１１０は、サブプログラム実行により、加速度センサ１２２（図５）、モーションセンサ（図示略）などからの入力に基づいて、端末（携帯電話機１００）の向きが縦向き（図１２（ａ）参照）であるか横向き（図１２（ｂ）参照）であるかを判別する。ここで、ＣＰＵ１１０に入力される信号が所定時間継続した場合のセンサ入力を判定値とする。所定時間経過を判別することで、携帯電話機１００の向きが頻繁に変わる場合などに、Ｏｐｅｎ事前機能選択処理が頻繁に実行されてしまう事態を防ぐことができる。
【００９５】
携帯電話機１００の向きが縦向きの場合は、ステップＳ３２でＣＰＵ１１０は、サブプログラム実行により、縦優先機能を表示する。上述したように、縦優先機能は、縦に端末を開く時に使用する電話機能やメールなどである。携帯電話機１００の向きが縦向きの場合は、縦に端末を開く時に使用する電話機能やメールなどを優先して表示する。図１２（ａ）では、ユーザが、携帯電話機１００を縦向きで使用している状態を示しており、サブ表示部１０４には、縦優先機能である「メール」が表示される。
【００９６】
一方、上記ステップＳ３１で携帯電話機１００の向きが横向きの場合は、ステップＳ３３でＣＰＵ１１０は、サブプログラム実行により、横優先機能を表示する。上述したように、横優先機能は、横に端末を開く時に使用するＴＶやゲームなどである。携帯電話機１００の向きが横向きの場合は、横に端末を開く時に使用するＴＶやゲームなどを優先して表示する。図１２（ｂ）では、ユーザが、携帯電話機１００を横向きで使用している状態を示しており、サブ表示部１０４には、横優先機能である「カメラ」が表示される。
【００９７】
ステップＳ１４では、ユーザは、サブＬＣＤ表示部１４１に表示されたメニュー表示の中から端末を開く時に起動したい機能を、入力部１２０の入力により事前選択する。ＣＰＵ１１０は、サブプログラム実行により、入力部１２０の入力を受け付け、サブＬＣＤ表示部１４１に機能選択結果などを表示する。
【００９８】
上記ステップＳ１１乃至Ｓ１４の処理（図１３破線囲み参照）は、ＣＰＵ１１０が、サブプログラムを低クロックで実行する。サブプログラムは、プログラム自体が簡素であることに加え、低クロックにより実行されることから、メインプログラム実行に比べ格段に低消費電力である。また、サブＬＣＤ表示部１４１は、メインＬＣＤ表示部１３０に比べてバックライトが小さいため低消費電力である。
【００９９】
ステップＳ１５では、ユーザは端末を開く（携帯電話機１００の上筐体１０１を開く）。
【０１００】
これにより、携帯電話機１００のメインプログラムが起動するともに、大画面ＬＣＤの表示部１３０が表示される。メインプログラムは、ＣＰＵ１１０により実行される。ＣＰＵ１１０は、メインプログラムを実行するにあたり、携帯電話機１００のリソースを最大限使用する。具体的には、ＣＰＵ１１０は、高クロックでメインプログラムを実行し、最大データ量を使用する。また、表示部１３０は、大画面ＬＣＤのバックライトを高輝度で発光させる。
【０１０１】
このように、本実施の形態では、加速度センサ１２２などによって端末の向きを検出し端末の向きに応じた機能を優先してサブ表示部１０４に表示させるので、縦に端末を開く時は電話機能やメールなど縦に使いやすい機能が、また横に端末を開く時はＴＶやゲームなどのアプリケーション機能が優先して表示されることで、端末を開く時の状態に合わせ使い分けることができ、ユーザの使い勝手を向上させることができる。
【０１０２】
同様に、縦に端末を開く時は電話機能などのメニュー構成が、横に端末を開く時はＴＶ，ゲームなどのアプリケーション機能が優先して起動される。電話機能とアプリケーション機能を、端末を開く時の状態に合わせて使い分けすることができ、縦横の開き方次第で起動する機能を事前に選択することができる。ユーザの使い勝手をさらに向上させることができる。
【０１０３】
以上の説明は本発明の好適な実施の形態の例証であり、本発明の範囲はこれに限定されることはない。
【０１０４】
上記各実施の形態では、携帯端末装置として携帯電話機の携帯端末に適用した例について説明しているが、携帯電話機に限らずＰＤＡ等の携帯情報端末、パーソナルコンピュータ又はその融合された装置、さらにはＭＰ３プレーヤ、ＨＤＤプレーヤ、携帯型ゲーム機などの携帯機器に適用可能である。
【０１０５】
また、縦方向と横方向の２方向に開閉可能なタイプに適用した例であるが、１方向の折畳み式又は蓋スライド式の携帯端末装置でも同様に適用することができ、同様の効果を得ることができる。
【０１０６】
また、上記各実施の形態では、携帯端末装置及び機能選択方法という名称を用いたが、これは説明の便宜上であり、装置は、携帯機器、電子機器等、また方法は事前機能選択方法であってもよい。
【０１０７】
さらに、上記携帯端末装置を構成する各部、例えば表示部、アプリケーション部、その数及び接続方法などはどのようなものでもよい。
【０１０８】
また、以上説明した機能選択方法は、この機能選択方法を機能させるためのプログラムでも実現される。このプログラムはコンピュータで読み取り可能な記録媒体に格納されている。
【産業上の利用可能性】
【０１０９】
本発明に係る携帯端末装置及び機能選択方法は、携帯電話機などの携帯端末の機能選択に有用である。また、機能選択方法として携帯端末以外の各種電子機器に組み込むことも可能である。
【符号の説明】
【０１１０】
１００  携帯電話機
１０１  上筐体
１０２  下筐体
１０３  表示部
１０４，１４０  サブ表示部
１０５  操作部
１０６  報知手段
１０７  選択手段
１１０  ＣＰＵ
１２０  入力部
１３０  メインＬＣＤ表示部
１４０  サブ表示部
１５０  アプリケーション部
１４１  サブＬＣＤ表示部
１４２  ＬＥＤ表示部
【図１】
2010245850.tif 000003
【図２】
2010245850.tif 000004
【図３】
2010245850.tif 000005
【図４】
2010245850.tif 000006
【図５】
2010245850.tif 000007
【図６】
2010245850.tif 000008
【図７】
2010245850.tif 000009
【図８】
2010245850.tif 000010
【図９】
2010245850.tif 000011
【図１０】
2010245850.tif 000012
【図１１】
2010245850.tif 000013
【図１２】
2010245850.tif 000014
【図１３】
2010245850.tif 000015